(57)【要約】【課題】携帯基地局を意識させることなく選択呼出を行うことができ、接続に費やす時間、手間を大幅に短縮でき、迅速な災害対策を実行可能にする。【解決手段】  ヘリコプター３に搭載された無線機４によって、所定時間毎に、自動的に各携帯基地局２を順次、呼び出しながら、その応答内容を記録し、通話を行うのに最適な携帯基地局２を見つけ出して、無線機４、回線制御装置７に記憶させる。ヘリコプター３に搭載された無線機４のオペレーター、県庁内に配置されたヘリ用専用電話機５や内線電話機６のオペレーターから通話要求が出されたとき、無線機４、回線制御装置７に記憶されている携帯基地局２経由で、無線機４のオペレーターと、県庁内に配置されたヘリ用専用電話機５や内線電話機６のオペレーターとの通話を開始させる。【選択図】図１
2009253620.tif 000002
【特許請求の範囲】
【請求項１】
ヘリコプターまたは軽飛行機を含む移動体に搭載され、複数の基地局を選択的に使用して、当該移動体と通信システムを統制する統制局との間で無線通信を行う移動体無線通信装置であって、
所定のタイミングで無線信号を送信して、通信可能な基地局を探索する基地局探索部と、
前記基地局探索部で通信可能な基地局が探索された場合には、この基地局の局番を記憶するとともに、この基地局を介して当該移動体が通信可能な基地局の局番を含む基地局情報を前記統制局に送信して記憶させる基地局情報送信部と、
を備えたことを特徴とする移動体無線通信装置。
【発明の詳細な説明】
【技術分野】
【０００１】
本発明は、無線を利用した都道府県デジタル移動体通信システム、市町村デジタル移動体通信システムなどの移動体通信システムにおいて、特に防災用のヘリコプターの位置に応じた携帯基地局を自動認識して通信、通話を行う移動体無線通信装置に関するものである。
【背景技術】
【０００２】
近年、各都道府県及び市町村では２６０ＭＨｚ帯のデジタル移動通信システム（以下、「市町村デジタル移動通信システム」という）が採用されている。この市町村デジタル移動通信システムでは、
この市町村デジタル移動通信システムを防災ヘリ用無線システムに適用する例がある。
【０００３】
この防災ヘリ用無線システムでは、防災用のヘリコプターに無線機を搭載し、各地に配置された各携帯基地局、県庁内に配置された回線制御装置、中継交換機を経由して、ヘリ用専用電話機や内線電話機と通信を行う。
【０００４】
この際、各携帯基地局、通常、山などの中継局に設置され、移動するヘリコプターに搭載の無線機と携帯基地局のいずれか１局と通信を行う。
【０００５】
また、ヘリ用専用電話機や内線電話機は、ヘリコプターの無線機と対向で通話を行うものである。
【特許文献１】特開２００５−１９７８２０号公報
【特許文献２】特表２００１−５２２１６０号公報
【発明の開示】
【発明が解決しようとする課題】
【０００６】
ところで、このような従来の防災ヘリ用無線システムでは、ヘリコプターからヘリ用専用電話機、内線電話機への呼出を行う場合は、ヘリコプターがどの携帯基地局の近くを飛行しているか分からず、どの携帯基地局と通信が可能か無線機のオペレーターが容易に把握できないため、想定される近くの携帯基地局の番号を手動で選択し、ヘリ用専用電話機、内線電話機への呼出を行っている。また、ヘリ用専用電話機、内線電話機からヘリコプターの無線機を呼び出す場合、ヘリコプターがどの携帯基地局の近くを飛行しているか不明なため、想定で携帯基地局の番号を手動で選択し、呼出を行っている。また、回線制御装置では、その選択された携帯基地局の番号に従い、携帯基地局との方路を接続するようにしている。
【０００７】
このため、選択呼出を行う場合、ヘリコプターに搭載された無線機のオペレーター、ヘリ用専用電話機、内線電話機のオペレーターは、接続する携帯基地の判断と操作の手間が必要なため、接続に時間を費やすこともあり、選択した携帯基地局と接続できなかったとき、改めて他の携帯基地局を選択し呼出を行わなければならないという問題があった。
【０００８】
本発明は上記の事情に鑑み、請求項１では、ヘリコプターに搭載された無線機のオペレーター、県庁内に配置されたヘリ用専用電話機や内線電話機のオペレーターに接続対象となる携帯基地局を意識させることなく選択呼出を行わせることができ、接続に費やす時間、手間を大幅に短縮させて、迅速な災害対策を実行させることができる移動体通信システムを提供することを目的としている。
【課題を解決するための手段】
【０００９】
上記の目的を達成するために本発明は、ヘリコプターまたは軽飛行機を含む移動体に搭載され、複数の基地局を選択的に使用して、当該移動体と通信システムを統制する統制局との間で無線通信を行う移動体無線通信装置であって、所定のタイミングで無線信号を送信して、通信可能な基地局を探索する基地局探索部と、前記基地局探索部で通信可能な基地局が探索された場合には、この基地局の局番を記憶するとともに、この基地局を介して当該移動体が通信可能な基地局の局番を含む基地局情報を前記統制局に送信して記憶させる基地局情報送信部とを備えたことを特徴としている。
【発明の効果】
【００１０】
本発明によれば、ヘリコプターに搭載された無線機のオペレーター、県庁等に配置されたヘリ用専用電話機や内線電話機のオペレーターに接続対象となる携帯基地局を意識させることなく選択呼出を行わせることができ、接続に費やす時間、手間を大幅に短縮でき、迅速な災害対策を実行可能となる。
【発明を実施するための最良の形態】
【００１１】
図１は本発明による移動体無線通信装置の一実施形態である移動体通信システムを示すブロック図である。
【００１２】
この図に示す移動体通信システム１は、都道府県、市町村の山などの高所に設けられている各中継局に設置される複数の携帯基地局２と、防災用のヘリコプター３に搭載され、各携帯基地局２の中から通話を行うのに最適な携帯基地局２を自動的に探索し、最適な携帯基地局２経由で通話を行わせる無線機４とを備えている。また、県庁内などに配置される統制局設備として、無線機４と通話を行うためのヘリ用専用電話機５および内線電話機６と、県庁内などに配置され、無線機４から通知された携帯基地局２の番号を使用してヘリ用専用電話機５または内線電話機６と無線機４とを接続するための回線制御装置７および中継交換機８とを備えている。
【００１３】
そして、この移動体通信システム１では、ヘリコプター３に搭載された無線機４によって、所定時間毎に、自動的に各携帯基地局２を順次、呼び出しつつ、その応答内容を記録し、通話を行うのに最適な携帯基地局２を探索する。見つけ出された携帯基地局２の局番は無線機４、回線制御装置７に記憶され、ヘリコプター３に搭載された無線機４のオペレーター、県庁内などに配置されたヘリ用専用電話機５や内線電話機６のオペレーターから通話要求が出されたとき、無線機４、回線制御装置７に記憶されている携帯基地局２経由で、無線機４のオペレーターと、県庁内に配置されたヘリ用専用電話機５や内線電話機６のオペレーターとの通話を開始できるようになっている。
【００１４】
無線機４は、図２に示す如くヘリコプター３の搭乗者（オペレーター）によって操作される操作器１０と、携帯基地局の探索処理、通話処理などを行う無線機本体１１と、無線信号の授受を行うアンテナ１２とを備えており、探索時間になる毎に、現在、通話中かどうかをチェックし、通話が行われてないとき、自動探索機能で、各携帯基地局２を呼び出して、通話に最適な携帯基地局２を見つけ出して、記憶するとともに、携帯基地局２経由で、回線制御装置７に伝えて、記憶させる。
【００１５】
操作器１０は、通話先を選択するのに必要な番号ボタン（図示は省略する）、通話先などの情報を表示する表示部１３、通話に必要な送受話器（図示は省略する）などを備えている。
【００１６】
そして、ヘリコプター３に搭載された無線機４のオペレーターによって、送受話器がオフフックされて、通話先となる電話機の番号ボタンが押されたとき、番号を無線機本体１１に伝えるとともに、送受話器と無線機本体１１とを接続させて、通話可能な状態にし、また無線機本体１１から通話に関する表示データが供給されたとき、表示データの内容を表示部１３に表示する。
【００１７】
無線機本体１１は、計時を行い、各動作タイミングを決定するタイマ部１４、タイマ部１４の計時結果に基づき、各携帯基地局２を順次、呼び出して通話に最適な携帯基地局２を選択する選択呼出制御部１５、および各携帯基地局２の局番号や選択呼出制御部１５で選択された携帯基地局２の中から応答の有った携帯基地局２の番号を記憶するメモリ部１６などを有する制御部１７と、制御部１７から供給されるから供給される通話先を示す番号、制御信号、音声信号などを無線信号に変調して、アンテナ１２から送信する処理、アンテナ１２で受信された無線信号を復調して、呼出信号、制御信号、音声信号などを制御部１７に供給する処理などを行う無線部１８とを備えている。
【００１８】
そして、図３のフローチャートに示す如く制御部１７の選択呼出制御部１５によってタイマ部１４の計時結果を参照して、携帯基地局２の探索タイミングであるかどうか、無線機４が通信可能かどうかをチェックする。この探索タイミングの周期は、ヘリコプター３の速度にもよるが、例えば１分前後の時間が考えられる。携帯基地局２の探索タイミングになり、通信可能であれば（ステップＳ１、Ｓ２）、メモリ部１６に記憶されている携帯基地局番号セットの中から１つの携帯基地局番号を選択して、自ヘリコプターを特定する番号を含めた呼び信号を生成し、無線部１８に接続されたアンテナ１２から送信する（ステップＳ３、Ｓ４）。そして、無線部１８に接続されたアンテナ１２でこの携帯基地局２からの応答信号が受信されているかどうかをチェックする。この携帯基地局２からの応答信号が受信される（ステップＳ５Ｙ）と、この携帯基地局２の局番号をメモリ部１６に記録する（ステップＳ６）。また、この携帯基地局２からの応答信号が受信されていなければ（ステップＳ５Ｎ）、ステップＳ２に戻り、メモリ部１６に記憶されている携帯基地局番号セットの中から次の携帯基地局番号を選択して、この携帯基地局２に対する呼び信号を生成し、無線部１８に接続されたアンテナ１２から送信する（ステップＳ３、Ｓ４）。
【００１９】
以下、携帯基地局からの応答信号があるまで全ての携帯基地局２に対する探索処理が実行される（ステップＳ２〜Ｓ５）。
【００２０】
帯基地局２からの応答信号が受信され、この携帯基地局２の局番号がメモリ部１６に記録されると（ステップＳ５，Ｓ６，Ｓ７）、この局番をセットして無線部１８に接続されたアンテナ１２から送信し、携帯基地局２経由で、回線制御装置７に取り込ませ、通話に使用する携帯基地局の局番号として、記憶させる（ステップＳ８）。
【００２１】
これにより、ヘリコプター３に搭乗している無線機４のオペレーターは、飛行位置から接続可能な携帯基地局２を判断し、想定される接続可能な携帯基地局２の局番号を選択する操作を行うことなく、無線機４に記憶された接続可能な携帯基地局２を使用して、ヘリ専用電話機５、内線電話機６を呼び出すことが可能となる。
【００２２】
また、県庁内に配置されたヘリ用専用電話機５や内線電話機６のオペレーターは、ヘリコプター３がどの携帯基地局２と現在通話することが可能か判断することがなく、ヘリコプター３の無線機４を呼び出すだけで、通話することができる。
【００２３】
このように、この実施形態では、ヘリコプター３に搭載された無線機４によって、所定時間毎に、自動的に各携帯基地局２を順次、呼び出しながら、その応答内容に基づき、通話を行うのに最適な携帯基地局２を見つけ出して、無線機４、回線制御装置７に記憶させ、ヘリコプター３に搭載された無線機４のオペレーター、県庁内に配置されたヘリ用専用電話機５や内線電話機６のオペレーターから通話要求が出されたとき、無線機４、回線制御装置７に記憶されている携帯基地局２経由で、無線機４のオペレーターと、県庁内に配置されたヘリ用専用電話機５や内線電話機６のオペレーターとの通話を開始させるようにしている。このため、ヘリコプター３に搭載された無線機４のオペレーター、県庁内に配置されたヘリ用専用電話機５や内線電話機６のオペレーターに接続対象となる携帯基地局２を意識させることなく選択呼出を行うことができ、接続に費やす時間、手間を大幅に短縮させて、迅速な災害対策を実行させることができる。
【図面の簡単な説明】
【００２４】
【図１】本発明による移動体通信システムの一実施形態を示すブロック図である。
【図２】図１に示す無線機の詳細な回路構成例を示すブロック図である。
【図３】図１に示す無線機の動作例を示すフローチャートである。
【符号の説明】
【００２５】
１：移動体通信システム
２：携帯基地局
３：ヘリコプター
４：無線機（移動体無線通信装置）
５：ヘリ用専用電話機
６：内線電話機
７：回線制御装置
８：中継交換機
１０：操作器
１１：無線機本体
１２：アンテナ
１３：表示部
１４：タイマ部
１５：選択呼出制御部
１６：メモリ部
１７：制御部
１８：無線部
【図１】
2009253620.tif 000003
【図２】
2009253620.tif 000004
【図３】
2009253620.tif 000005